(57)【要約】【課題】複数枚のティッシュペーパーを保持するティッシュペーパーホルダーであって、省スペースで使用可能で、且つインテリアの美観を損ねない、高い意匠性を有するティッシュペーパーホルダーを提供する。【解決手段】複数枚のティッシュペーパーの積層体１２を、下方から保持する下部保持部材１１、及び前記下部保持部材１１に対向して配置され、前記下部保持部材１１と共に前記ティッシュペーパーの積層体１２を挟み込んで保持する上部保持部材１３を備えるティッシュペーパーホルダー１０であって、前記上部保持部材１３が、前記ティッシュペーパーを取り出すための開口部１４を有し、前記上部保持部材１３及び前記下部保持部材１１が、長手方向の少なくとも一部に、互いに対応する山型の湾曲部１５を有することを特徴とするティッシュペーパーホルダー。【選択図】図１
0003215044.tif 000002
【実用新案登録請求の範囲】
【請求項１】
複数枚のティッシュペーパーの積層体を、下方から保持する下部保持部材、及び前記下部保持部材に対向して配置され、前記下部保持部材と共に前記ティッシュペーパーの積層体を挟み込んで保持する上部保持部材を備えるティッシュペーパーホルダーであって、
前記上部保持部材が、前記ティッシュペーパーを取り出すための開口部を有し、
前記上部保持部材及び前記下部保持部材が、長手方向の少なくとも一部に、互いに対応する山型の湾曲部を有することを特徴とするティッシュペーパーホルダー。
【請求項２】
前記湾曲部の角度が、９０〜１７０°である請求項１に記載のティッシュペーパーホルダー。
【請求項３】
前記上部保持部材及び前記下部保持部材が、短手方向の端部近傍に、少なくとも１個の互いに対応する貫通孔を有し、
前記貫通孔のそれぞれに、前記上部保持部材及び前記下部保持部材を貫通して挿入される係止ピンを備える請求項１又は２に記載のティッシュペーパーホルダー。
【考案の詳細な説明】
【技術分野】
【０００１】
本考案は、複数枚のティッシュペーパーを保持するティシュペーパーホルダーに関し、特に省スペースで使用可能で、高い意匠性を有するティッシュペーパーホルダーに関する。
【背景技術】
【０００２】
一般に、ティッシュペーパーは、紙箱中に複数枚のティッシュペーパーが交差する様に折り重ねられて収納されたティッシュボックスの形態で販売されている。また、近年、紙箱ではなく、ポリ袋に収納された形態のティッシュペーパーも販売されている。この形態では、紙箱を使用しないため、省資源、省コスト、保管スペースの削減が可能になる。このようなポリ袋入りのティッシュペーパーの場合、購入者は、ポリ袋のミシン目を破いて、そのまま使用するか、外観や使い易さを考慮して、ティッシュペーパーを、ポリ袋のまま、若しくはポリ袋から取り出して、別途用意した硬質のティッシュペーパーケース又はホルダーの中に収納して使用している。
【０００３】
そのようなティッシュペーパーケース又はホルダーとしては、例えば、特許文献１及び２のような横置きタイプ（一般的なティッシュボックスと同様な置き方）が一般的である。一方、特許文献３では、省スペース化を目的として、縦型ティッシュペーパーホルダーが開示されている。
【先行技術文献】
【特許文献】
【０００４】
【特許文献１】実用新案登録第３０６０８３５号
【特許文献２】特開２００９−２１３８５４号公報
【特許文献３】特開２００８−１７９４０８号公報
【考案の概要】
【考案が解決しようとする課題】
【０００５】
しかしながら、特許文献３のような縦型ティッシュペーパーホルダーは、設置面の省スペース化は可能であるが、室内において、ティッシュペーパーが目立ってしまい、インテリアの美観を損なう恐れがある。
【０００６】
したがって、本考案の目的は、複数枚のティッシュペーパーを保持するティッシュペーパーホルダーであって、省スペースで使用可能で、且つインテリアの美観を損なわない、高い意匠性を有するティッシュペーパーホルダーを提供することにある。
【課題を解決するための手段】
【０００７】
上記課題を解決するため、請求項１に係わる考案は、複数枚のティッシュペーパーの積層体を、下方から保持する下部保持部材、及び前記下部保持部材に対向して配置され、前記下部保持部材と共に前記ティッシュペーパーの積層体を挟み込んで保持する上部保持部材を備えるティッシュペーパーホルダーであって、前記上部保持部材が、前記ティッシュペーパーを取り出すための開口部を有し、前記上部保持部材及び前記下部保持部材が、長手方向の少なくとも一部に、互いに対応する山型の湾曲部を有することを特徴とするティッシュペーパーホルダーである。
【０００８】
本考案のティッシュペーパーホルダーは、下部保持部材及び上部保持部材が長手方向の少なくとも一部に山型の湾曲部を有することで、単に矩形状のティッシュペーパーホルダーを横置きする場合と比較して、設置面の省スペース化を図ることができる。また、前記湾曲部があることにより、前記上部保持部材及び下部保持部材が、長手方向に互いにずれ難くなり、複数枚のティッシュペーパーの積層体を安定して保持することができる。さらに、本考案のティッシュペーパーホルダーは、前記湾曲部は接地せず、長手方向の両端部等が接地する山型の独特な形状となり、見栄えが良い高い意匠性を有する。
【０００９】
請求項２に係わる考案は、請求項１に記載のティッシュペーパーホルダーにおいて、前記湾曲部の角度が、９０〜１７０°である。これにより、本発明のティッシュペーパーホルダーの設置面の省スペース化を図るとともに、前記上部保持部材の開口部からティッシュペーパーを取り易くすることができる。
【００１０】
請求項３に係わる考案は、請求項１又は２に記載のティッシュペーパーホルダーにおいて、前記上部保持部材及び前記下部保持部材が、短手方向の端部近傍に、少なくとも１個の互いに対応する貫通孔を有し、前記貫通孔のそれぞれに、前記上部保持部材及び前記下部保持部材を貫通する係止ピンが挿入されている。これにより、前記上部保持部材及び前記下部保持部材が、長手方向だけでなく、短手方向にも互いにずれ難くなり、複数枚のティッシュペーパーの積層体を、さらに安定して保持することができる。
【考案の効果】
【００１１】
本考案によれば、山型の湾曲部によって、単に矩形状のティッシュペーパーホルダーを横置きする場合と比較して、設置面の省スペース化を図ることができ、且つ山型の独特な形状で、見栄えが良い高い意匠性を有するティッシュペーパーホルダーを提供することができる。
【図面の簡単な説明】
【００１２】
【図１】本考案のティッシュペーパーホルダーの第１の実施の形態を説明する斜視図であり、図１（ａ）は、ティッシュペーパーホルダー本体を示し、図１（ｂ）は、前記ティッシュペーパーホルダーに複数枚のティッシュペーパーの積層体をセットした状態を示し、図１（ｃ）は、前記ティッシュペーパーホルダーの使用中の状態を示す。
【図２】本考案のティッシュペーパーホルダーの湾曲部の好ましい角度を説明する図である。
【図３】本考案のティッシュペーパーホルダーの湾曲部の形状のバリエーションを説明する斜視図である。
【図４】本考案のティッシュペーパーホルダーの第２の実施の形態を説明する斜視図である。
【考案を実施するための形態】
【００１３】
（第１の実施の形態）
以下、本考案のティッシュペーパーホルダーの第１の実施の形態について、図面を参照して詳細に説明する。図１は、本考案のティッシュペーパーホルダーの第１の実施の形態を説明する斜視図であり、図１（ａ）は、ティッシュペーパーホルダー本体を示し、図１（ｂ）は、前記ティッシュペーパーホルダー本体に複数枚のティッシュペーパーの積層体をセットした状態を示し、図１（ｃ）は、前記ティッシュペーパーホルダーの使用中の状態を示す。図１（ａ）〜（ｃ）におけるティッシュペーパーホルダー１０は、複数枚のティッシュペーパーの積層体１２を、下方から保持する下部保持部材１１、及び下部保持部材１１と共にティッシュペーパーの積層体１２を挟み込んで保持する上部保持部材１３を備える。上部保持部材１３は、図１（ａ）〜（ｃ）に示す通り、ティッシュペーパーを取り出すための開口部１４を有する。そして、上部保持部材１３及び下部保持部材１１は、長手方向の一部に、互いに対応する山型の湾曲部１５を有する。山型の湾曲部１５により、単に矩形状のティッシュペーパーホルダーを横置きする場合と比較して、設置面の省スペース化を図ることができる。また、湾曲部１５があることにより、上部保持部材１３及び下部保持部材１１が、湾曲部１５がない場合と比較して、長手方向に互いにずれ難くなり、複数枚のティッシュペーパーの積層体１２を安定して保持することができる。さらに、ティッシュペーパーホルダー１０は、湾曲部１５は接地せず、長手方向の両端部が接地する山型の独特な形状であり、見栄えが良い高い意匠性を有する。なお、複数枚のティッシュペーパーの積層体１２は、ポリ袋、又は紙箱に収納されて販売されているティッシュペーパーの積層体の一部又は全部を取り出して、そのまま、又はティッシュペーパー取り出す開口部を有するポリ袋等に収納した状態で用いることができる。
【００１４】
本考案において、上部保持部材の「開口部」は、ティッシュペーパーの積層体から、１枚又は一組（二枚重ね等の場合）のティッシュペーパーを取り出すことができれば、どのような形状でもよい。図１においては、上方から見て矩形状の開口部であるが、開口部は円形状、楕円形状、不定形状等であってもよい。「山型の湾曲部」とは、外側より内側が上方に湾曲、又は屈曲した形状のことを称する。すなわち、図１においては、湾曲部１５は、なだらかに折れ曲がっているが、角張って折れ曲がっているような形状も含むものとする。ティッシュペーパーを取り出し易い点で、なだらかに折れ曲がっている方が好ましい。湾曲部のバリエーションについては、後述する。「互いに対応する」とは、上部保持部材及び下部保持部材が上下からティッシュペーパーの積層体を挟み込んで保持することができる湾曲部を、それぞれ有することを意味する。すなわち、図１においては、上部保持部材１３及び下部保持部材１１は長手方向の同様な位置に、同様な湾曲部１５を有しているが、ティッシュペーパーの積層体を挟み込んで保持することができれば、上部保持部材及び下部保持部材の湾曲部の位置、角度、及び形状は異なっていてもよい。ティッシュペーパーホルダーとして使用し易い点で、上部保持部材及び下部保持部材は、それぞれ、図１のような長手方向の同様な位置に、同様な湾曲部を有することが好ましい。
【００１５】
前記湾曲部について詳述する。図２は、本考案のティッシュペーパーホルダーの湾曲部の好ましい角度を説明する図である。図２（ａ）は、保持部材（上部保持部材、及び下部保持部材の両方を含む）の長手方向に切断した際の断面図である。湾曲部の角度とは、図２（ａ）に示したように、湾曲部から保持部材の両側に延在する平面部分がある場合（図１に示したような形状の場合）は、その平面部分の延長線の交点における角度ｄのことを称する。本考案において、前記湾曲部の角度ｄは、特に制限はなく、所望の設置スペース等に応じて選択することができる。例えば、図２（ｂ）のティッシュペーパーホルダー２０は、図１における湾曲部よりも小さい角度ｄの湾曲部２５を有し、図２（ｃ）のティッシュペーパーホルダー３０は、図１における湾曲部よりも大きい角度ｄの湾曲部３５を有する。前記湾曲部の角度ｄが大き過ぎると、省スペース化の程度が低くなり、小さ過ぎると、前記上部保持部材の開口部からティッシュペーパーが取り出し難くなるので、９０〜１７０°であることが好ましく、９５〜１５０°がさらに好ましく、１００〜１２０°が特に好ましい。
【００１６】
図３は、本考案のティッシュペーパーホルダーの湾曲部の形状のバリエーションを説明する斜視図であり、便宜上、下部保持部材のみを記載したものである。本考案において、湾曲部の幅は、特に制限はなく、図１のように、湾曲部が保持部材の所定の範囲を占め、その両側に平面部分が延在する形状であってもよく、図３（ａ）に示した下部保持部材４１のように、湾曲部４５が保持部材の全域に渡っており、平面部分がないような形状でもよい。なお、図３（ａ）のように、湾曲部が保持部材の全域に渡っている場合は、上述の湾曲部の角度ｄは考慮しなくてよい。また、本考案において、湾曲部は、上部保持部材及び下部保持部材の長手方向に複数あってもよい。例えば、図３（ｂ）では、下部保持部材５１は、２箇所の山型の湾曲部５５ａ、及び５５ｂを有し、図３（ｃ）では、下部保持部材６１は、３箇所の山型の湾曲部６５ａ、６５ｂ、及び６５ｃを有する。前記保持部材は、当然に、それ以上の数の湾曲部を有する形状であってもよい。その他の湾曲部のバリエーションとしては、例えば、長手方向、及び／又は短手方向に左右非対称な形状の湾曲部（例えば、図３（ｄ））、長手方向だけでなく、短手方向にも湾曲したような歪んだ形状の湾曲部（例えば、図３（ｅ））等が挙げられる。湾曲部の形状は、所望の設置スペース、意匠コンセプト等に応じて、適宜選択することができる。本考案において、保持部材における山型の湾曲部以外の形状は、どのような形状であってもよい。例えば、図１〜図３（ａ）〜（ｅ）においては、保持部材の長手方向の端部が接地しているが、端部に谷型の湾曲部が形成され、保持部材の端部が接地しない形状（例えば、図３（ｆ））でもよく、下部保持部材が３個以上の脚部を備え、当該脚部が接地する形状（例えば、図３（ｇ））でもよい。
【００１７】
本考案において、上部保持部材及び下部保持部材の材質は、形状が安定する素材であれば、特に制限はなく、ティッシュペーパーの用途に応じて、衛生面や臭い等を考慮して材質を選択することができる。例えば、アルミニウム、銅、鉄等の金属；ポリエチレン、ポリプロピレン、ポリ塩化ビニル、アクリル樹脂等の合成樹脂；陶器；木；竹；紙；革；綿、麻、化学繊維等からなる織物、これらの組み合わせ等が挙げられる。これらの素材の内、硬質のものは、そのまま用いても良く、革等の柔軟な素材で被覆して用いても良い。また、紙；革；織物等のそれ自体柔軟な素材は、硬質化剤を用いたり、合成樹脂を含浸させたりして形状を安定化させて用いてもよい。上部保持部材及び下部保持部材の材質は、同一でも異なっていてもよい。ティッシュペーパーホルダーの安定性の点で、下部保持部材の材質は、上部保持部材よりも比重が重い材質であることが好ましい。なお、上部保持部材の開口部近傍のティッシュペーパーと接触する部分は、ティッシュペーパーを取り出し易くするため、シリコン樹脂加工やフッ素樹脂加工等の滑り易くなるような加工を施してもよい。
【００１８】
（第２の実施の形態）
図４は、本考案のティッシュペーパーホルダーの第２の実施の形態を説明する斜視図である。図４におけるティッシュペーパーホルダー７０は、図１の場合と同様に、ティッシュペーパーの積層体を下方から保持する下部保持部材７１、及び下部保持部材７１と共にティッシュペーパーの積層体を挟み込んで保持する上部保持部材７３を備える。上部保持部材７３は、ティッシュペーパーを取り出すための開口部７４を有し、上部保持部材７３及び下部保持部材７１は、長手方向の一部に、互いに対応する山型の湾曲部７５を有する。それらに加えて、ティッシュペーパーホルダー７０は、上部保持部材７３及び下部保持部材７１の短手方向の両方の端部近傍に、１個ずつの互いに対応する貫通孔７６を有し、貫通孔７６のそれぞれに、上部保持部材７３及び下部保持部材７１を貫通する係止ピン７７が挿入されている。これにより、上部保持部材７３及び下部保持部材７１が、長手方向だけでなく、短手方向にも互いにずれ難くなり、複数枚のティッシュペーパーの積層体を、さらに安定して保持することができる。
【００１９】
貫通孔７６がある「短手方向の端部近傍」とは、上部保持部材７３及び下部保持部材７１がティッシュペーパーの積層体を挟み込んでいる範囲の短手方向の外側を意味する。すなわち、貫通孔７６はティッシュペーパーの積層体で塞がれない位置にあれば、上部保持部材７３及び下部保持部材７１の長手方向のどの位置にあってもよい。「互いに対応する」貫通孔７６とは、ティッシュペーパーホルダー７０を使用する状態で、上部保持部材７３及び下部保持部材７１の貫通孔７６の位置が一致していることを意味する。これにより、係止ピン７７を挿入して、上部保持部材７３及び下部保持部材７１を貫通することが可能となる。図４においては、貫通孔７６及び係止ピン７７は、上部保持部材７３及び下部保持部材７１の短手方向の両方の端部近傍に１個ずつあるが、貫通孔及び係止ピンは、いずれかの端部近傍に１個だけでもよい。上部保持部材及び下部保持部材を、ずれ難くして、ティッシュペーパーの積層体を、より安定して保持することができる点で、貫通孔及び係止ピンは、２個以上あることが好ましく、図４に示すように、上部保持部材及び下部保持部材の短手方向の両方の端部近傍に、少なくとも１個ずつあることが好ましい（すなわち、２組ずつ以上あってもよい）。係止ピンの材質は特に制限はなく、例えば、ステンレス、アルミニウム、銅等の金属；木;竹；合成樹脂等が挙げられる。係止ピンの材質は、上部保持部材及び下部保持部材の材質に合わせて、適宜選択することができる。
【００２０】
なお、本考案は上記の実施の形態の構成に限定されるものではなく、考案の要旨の範囲内で種々変形が可能である。
【産業上の利用可能性】
【００２１】
本考案のティッシュペーパーホルダーは、山型の湾曲部によって、単に矩形状のティッシュペーパーホルダーを横置きする場合と比較して、設置面の省スペース化を図ることができ、且つ山型の独特な形状で、見栄えが良い高い意匠性を有する。したがって、本考案によって、省スペースで使用可能で、且つインテリアの美観を損なわない、高い意匠性を有するティッシュペーパーホルダーを提供することができる。
【符号の説明】
【００２２】
１０、２０、３０、７０                                ティッシュペーパーホルダー
１１、４１、５１、６１、７１                          下部保持部材
１２                                                  ティッシュペーパーの積層体
１３、７３                                            上部保持部材
１４、７４                                            開口部
１５、２５、３５、４５、５５ａ〜ｂ、６５ａ〜ｃ、７５  湾曲部
７６                                                  貫通孔
７７                                                  係止ピン
【図１】
0003215044.tif 000003
【図２】
0003215044.tif 000004
【図３】
0003215044.tif 000005
【図４】
0003215044.tif 000006